(57)【要約】      （修正有）【課題】バケット荷重を軽減化でき、かつ、工具類を容易に取り出し収納できる箇所に、各種作業用袋を吊り下げられるようにした高所作業車を提供する。【解決手段】作業者が乗載可能なバケットと、吊り上げ用のウインチを設けたサブブーム５とをメインブーム１７の先端に取り付けてなる高所作業車において、ウインチワイヤ案内用の滑車１３が設けられているサブブーム先端の近傍部位に、作業用袋を吊り下げるための物品吊下具１１，１２を備え、物品吊下具には、ウインチフック８を掛止させるための掛止部９が設けられている。【選択図】図２
2006213505.tif 000002
【特許請求の範囲】
【請求項１】
作業者が乗載可能なバケット（１６）と、吊り上げ用のウインチ（１５）を設けたサブブーム（５）とをメインブーム（１７）の先端に取り付けてなる高所作業車において、
ウインチワイヤ案内用の滑車（１３）が設けられているサブブーム先端の近傍部位に、作業用袋（Ｂ）を吊り下げるための物品吊下具（Ｈ）を備えたことを特徴とする高所作業車。
【請求項２】
前記物品吊下具（Ｈ）には、ウインチフック（８）を掛止させるための掛止部（９）が設けられていることを特徴とする請求項１に記載の高所作業車。
【請求項３】
前記物品吊下具（Ｈ）は、底壁（３）の両側に立設される側壁（４）（４）を有してコ字状断面をなし前記サブブーム（５）に嵌め込み可能な本体部（１）と、該本体部（１）に取り付けられた吊下部（２）を有し、
前記本体部（１）の両側壁（４）には、前記サブブーム（５）に形成されたピン孔に挿脱自在に係入される係止ピン（６）を挿通させるための係止孔（７）が形成され、前記底壁（３）の下面には、前記ウインチフック（８）を掛止させるための掛止部（９）を有する掛止ブラケット（１０）が取り付けられる一方、前記吊下部（２）には、作業用袋（Ｂ）を吊り下げるための吊下部材（１１）が前記本体部（１）の底壁（３）から両側に突出するように形成されていることを特徴とする請求項１又は２に記載の高所作業車。
【発明の詳細な説明】
【技術分野】
【０００１】
本発明は、作業者が乗載可能なバケットと、吊り上げ用のウインチを設けたサブブームをメインブームの先端に取り付けてなる高所作業車に係り、特に、高所作業に必要な工具等を吊り下げるための物品吊下具をサブブームに着脱自在に取り付けられるようにした高所作業車に関する。
【背景技術】
【０００２】
電柱間に架設された通電状態の電線（活線）に作業者が直接触れることなくホットスティック（絶縁作業棒）等の工具を使用して高所で行われる間接活線作業では、メインブームの先端に、バケットと、吊り上げ用のウインチを設けたサブブームを備えた高所作業車（例えば、特許文献１参照）が使用され、通常、二人の作業者がバケットに乗載する。
【０００３】
バケット内のスペースは限られているため、二人の作業者がバケットに乗載する場合、例えば、図５に示すように、ホットスティック収納袋や防具袋、工具袋等の作業用袋Ｂ，…は、工具類の取り出しと収納が容易になるようにバケット１６の外側に並べて吊り下げているのが現状である。即ち、各作業用袋Ｂの紐に引っ掛けた吊り下げ用のフックＦをバケット１６の縁に引っ掛けている。
【０００４】
図５にて、符号１７は、高所作業車（図示省略）の車台に旋回・起伏動自在に設けられるメインブームで、その先端に旋回自在なバケット１６と、旋回・起伏動自在なサブブーム５を支持する。サブブーム５は、その先端にウインチワイヤ案内用の滑車１３を備え、基部にウインチ１５を備えている。
【特許文献１】特開平１０−２７３２９０号公報
【発明の開示】
【発明が解決しようとする課題】
【０００５】
しかし、二人の作業者がバケットに乗載して、図５に示すように、さらに複数の作業用袋Ｂをバケット１６に吊り下げると、バケット１６に作用する荷重の合計が制限荷重（積載荷重）である２００ｋｇを超えることがあった。そのため、安全上の見地からバケット荷重の軽減化が望まれていた。
【０００６】
本発明は、このような実情に鑑みてなされ、バケット荷重を軽減化でき、かつ、工具類を容易に取り出し収納できる箇所に、各種作業用袋を吊り下げられるようにした高所作業車を提供することを目的とする。
【０００７】
また、サブブームの基部にウインチが設けられている場合、フックは、非使用時には、ウインチの近傍位置に掛止させていた。そのため、使用時に、その掛止状態を解除すると、大きく振れまわることがあるため、その対策が求められていた。そこで、ウインチフックの掛止状態を解除した時にフックが振れまわらないようにすることをも目的とする。
【課題を解決するための手段】
【０００８】
本発明の高所作業車は、作業者が乗載可能なバケット１６と吊り上げ用のウインチ１５を設けたサブブーム５をメインブーム１７の先端に取り付けてなる高所作業車において、
ウインチワイヤ案内用の滑車１３が設けられているサブブーム先端の近傍部位に、作業用袋Ｂを吊り下げるための物品吊下具Ｈを備えたことを特徴とする。
【０００９】
このような構成によれば、物品吊下具Ｈによって吊り下げられた作業用袋Ｂ内の工具類の荷重がサブブーム５に作用するため、その分、バケット荷重を軽減することができる。サブブーム５は、バケット１６よりも制限荷重（積載荷重）が大であるため、工具類を吊り下げることができるだけの強度的な余裕が充分にあり、安全性が向上する。ちなみに、メインブーム１７の制限荷重（積載荷重）が２００ｋｇの場合、サブブーム５の制限荷重（吊り上げ荷重）は３９０ｋｇになる。
【００１０】
このような高所作業車の物品吊下具Ｈには、ウインチフック８を掛止させるための掛止部９を設けてもよい。このように、ウインチフック８を、サブブーム５の先端近傍部位に掛止させておれば、掛止状態を解除しても、ワイヤが僅かしか繰り出されていないため、ウインチフック８が大きく振れまわることはない。
【００１１】
また、このような高所作業車の物品吊下具Ｈは、底壁３の両側に立設される側壁４を有してコ字状断面をなし前記サブブーム５に嵌め込み可能な本体部１と、該本体部１に取り付けられた吊下部２を有し、前記本体部１の両側壁４には、前記サブブーム５に形成されたピン孔に挿脱自在に係入される係止ピン６を挿通させるための係止孔７が形成され、前記底壁３の下面には、前記ウインチフック８を掛止させるための掛止部９を有する掛止部材１０が取り付けられる一方、前記吊下部２には、作業用袋Ｂを吊り下げるための吊下部材１１が前記本体部１の底壁３から両側に突出するように形成されてもよい。
【００１２】
このようにすれば、物品吊下具Ｈをサブブーム５に嵌め込んで、その係止孔７をピン孔に一致させて係止ピン６を挿入することで、物品吊下具Ｈをサブブーム５に係止させることができ、その状態で、吊下部材１１に物品を吊り下げれば、その吊り下げ荷重がサブブーム５に作用するため、バケット荷重を大幅に軽減化することができる。
【発明の効果】
【００１３】
本発明の高所作業車は、ウインチワイヤ案内用の滑車が設けられているサブブームの先端の近傍部位に物品吊下具を備えているので、物品の吊り下げ荷重がサブブームに作用するため、その分、バケット荷重を軽減することができる。また、物品吊下具にウインチフックを掛止させるための掛止部を設け、ウインチフックをサブブームの先端近傍部位に掛止させれば、ウインチフックの掛止状態を解除しても、ワイヤが僅かしか繰り出されていていため、ウインチフックが大きく振れまわることはなく、安全性や取り扱い作業性が向上する。
【発明を実施するための最良の形態】
【００１４】
以下に、本発明の最良の実施の形態に係る高所作業車について図面を参照しつつ詳細に説明する。
図１（ａ）は物品吊下具Ｈの側面図、（ｂ）は正面図、（ｃ）は平面図である。図２（ａ）は物品吊下具Ｈをサブブームに取り付けた状態の側面図、（ｂ）は正面図、（ｃ）は平面図である。これらの図に示すように、この物品吊下具Ｈは、本体部１と吊下部２を有し、本体部１は、板部材を折曲して形成され、底壁３と、底壁３の両側に立設される側壁４，４を有してコ字状断面をなしサブブーム５に嵌め込み可能であり、その両側壁４，４には、サブブーム５に形成されたピン孔（図示省略）に挿脱自在に係入される係止ピン６を挿通させるための係止孔７が形成され、底壁３の下面には、ウインチフック８を掛止させるための掛止孔（本発明の掛止部）９を有する掛止ブラケット１０が取り付けられている。
【００１５】
一方、吊下部２は、パイプ材と板部材を組み合わせて形成され、物品を吊り下げるためのパイプ材からなる吊下部材１１が本体部１の底壁３から両側に突出するように形成されており、その吊下部材１１，１１の中央部に補強用の板部材１２が差し渡され、掛止ブラケット１０とＴ字状に溶接により接合されている。このような構成により、物品吊下具Ｈは、全体として高剛性に形成され、吊り下げ荷重に充分耐え得るだけの強度を有しており、ウインチワイヤ案内用の滑車１３が設けられているサブブーム先端の近傍部位に、係止ピン６により取り付けられる。
【００１６】
その係止ピン６は、例えば、図３（ａ）（ｂ）に示すような着脱自在なものを用いることができる。その差し込み側の端部には、抜け止めピン（割りピン）１４を嵌め込むための孔が形成されており、その他端側には、Ｕ字状に湾曲形成された把手１５が取り付けられている。この把手１５は、係止ピン６をサブブーム５のピン孔に嵌め込んだときには、一方の吊下部材１１と側壁４の間に嵌まり込み、抜け止めピン１４と共に、抜け止め作用を発揮する。なお、抜け止めピン１４は、脱落防止用の紐１６で係止ピン本体に繋続されている。
【００１７】
図４は、４つの作業用袋Ｂを物品吊下具Ｈに吊り下げた状態を示す。即ち、工具袋×２、防具袋×１、ホットスティック収納袋×１を吊り下げている。サブブーム５は、その基部にウインチ１５を備え、二人の作業者が乗載可能な旋回自在なバケット１６と共に、メインブーム１７の先端に旋回・起伏動自在に支持され、起伏角度０°〜４５°の範囲でウインチ１５の使用が可能であり、メインブーム１７の基部は、高所作業車（図示省略）の車体に搭載された旋回台に旋回・起伏動自在に支持されている。
【００１８】
このような高所作業車では、物品吊下具Ｈによって吊り下げられた４つの作業用袋Ｂ内の工具類の荷重が全てサブブーム５に作用するため、その分、バケット荷重を軽減することができる。バケット１６と吊り上げ用のウインチ１５の制限荷重を合わせて５９０ｋｇの場合、バケット１６の制限荷重は２００ｋｇ、サブブーム５の制限荷重は３９０ｋｇになるが、バケット１６には、二人の作業者の体重が作用するのみであるから、バケット１６の制限荷重を確実にクリヤすることができ、かつ、４つの作業用袋Ｂを吊り下げてもサブブーム５の制限荷重を超えることはない。
【００１９】
サブブーム５は、メインブーム１７に旋回・起伏動自在に支持され、バケット１６も旋回自在であるから、高所における間接活線作業等を行う場合、予め、必要な作業用袋をサブブーム５の先端近傍部位に取り付けた物品吊下具Ｈに吊り下げてから、作業者がバケット１６に乗載して作業位置に上昇した後、適宜、必要に応じて、サブブーム５を引き寄せて、工具類を容易に取り出すことができ、また、作業の終了後には、工具類を容易に収納することができる。
【００２０】
このように、作業用袋Ｂを物品吊下具Ｈに吊り下げた状態でも、サブブーム５のウインチ１５を使用することは可能であるが、重量物を上げ下げする際には、制限荷重を超過しないようにするために、一旦、作業用袋Ｂを地上に降ろせばよい。また、物品吊下具Ｈに吊り下げられた作業用袋Ｂがサブブーム５の起伏動操作の障害になる場合も、作業用袋Ｂを一旦地上に降ろせばよい。
【００２１】
そして、作業が終了した後は、図２（ａ）に二点鎖線で示すように、ウインチフック８を物品吊下具Ｈの掛止孔９に掛止させておけば、ウインチ１５を使用する際に、その掛止状態を解除しても、ワイヤが僅かしか繰り出されていないため、ウインチフック８が大きく振れまわることはなく、安全性や取り扱い作業性が向上する。
【００２２】
なお、本発明は、実施の形態に限定されることなく、発明の要旨を逸脱しない限りにおいて、適宜、必要に応じて、設計変更や改良等を行うのは自由であり、例えば、ウインチフック８を掛止させるための掛止部は、ウインチフック８を掛止させることができればよく、鉤状や棒状等であってもよく、その形状や構成の如何を問わない。また、高所作業車は、作業者が乗載可能なバケットと、吊り上げ用のウインチを設けたサブブームをメインブームの先端に取り付けたものであれば、その形式や構成、機能等の如何を問わない。
【図面の簡単な説明】
【００２３】
【図１】（ａ）は本発明の実施の形態に係る高所作業車の物品吊下具の側面図、（ｂ）は正面図、（ｃ）は平面図である。
【図２】（ａ）は同物品吊下具をサブブームに取り付けた状態の側面図、（ｂ）は正面図、（ｃ）は平面図である。
【図３】（ａ）は同着脱自在な係止ピンの側面図、（ｂ）は係止ピンを物品吊下具に装着した状態の斜視図である。
【図４】同作業用袋を吊り下げた状態の斜視図である。
【図５】従来の高所作業車のバケットの縁に作業用袋を吊り下げた状態の斜視図である。
【符号の説明】
【００２４】
１…本体部、２…吊下部、３…底壁、４…側壁、５…サブブーム、６…係止ピン、７…係止孔、８…ウインチフック、９…掛止部、１０…掛止部材、１１…吊下部材、１３…滑車、１５…ウインチ、１６…バケット、１７…メインブーム
【図１】
2006213505.tif 000003
【図２】
2006213505.tif 000004
【図３】
2006213505.tif 000005
【図４】
2006213505.tif 000006
【図５】
2006213505.tif 000007